(57)【要約】【課題】  薬剤を所定量定期的に撒かなくても継続的に有効な病害虫駆除忌避効果が得られるようにする。【解決手段】  粘土を焼成した植木鉢１であって、少なくともその本体２の下部２ｃを構成する粘土に病害虫駆除忌避作用を有する薬剤として炭化銅、酸化銅、クロム酸鉛等が混入され、植木鉢１の下方からナメクジやカタツムリ等の病害虫が上がってくることを防止する。また、受け皿８についても病害虫駆除忌避作用を有する薬剤を混入した粘土を焼成してつくることにより、植木鉢が通常のものでも病害虫駆除忌避が行える。【選択図】  図１
0003130749.tif 000002
【実用新案登録請求の範囲】
【請求項１】
粘土を焼成した植木鉢において、少なくとも下部を構成する粘土に病害虫駆除忌避作用を有する薬剤が混入されていることを特徴とする、植木鉢。
【請求項２】
粘土の焼成が素焼きである、請求項１記載の植木鉢。
【請求項３】
下部を構成する粘土が０．５〜５重量％の病害虫駆除忌避作用を有する薬剤を含有することを特徴とする、請求項１または請求項２記載の植木鉢。
【請求項４】
植木鉢を置く受け皿であって、病害虫駆除忌避作用を有する薬剤が混入された粘土を焼成してなる、植木鉢用受け皿。
【請求項５】
粘土の焼成が素焼きである、請求項４記載の植木鉢用受け皿。
【請求項６】
粘土が０．５〜５重量％の病害虫駆除忌避作用を有する薬剤を含有する、請求項４または請求項５記載の植木鉢用受け皿。
【考案の詳細な説明】
【技術分野】
【０００１】
本考案は、ナメクジ、カタツムリ、ワラジムシ、ゲジゲジ等の病害虫を寄せ付けない植木鉢およびその受け皿に関する。
【背景技術】
【０００２】
庭で盆栽や野菜或いは観葉植物等を栽培していると、これらにナメクジやカタツムリ等の病害虫が付き易く、特に梅雨どき等の雨が多い時期には栽培している植物やその鉢に大量のナメクジ等が付いて非常に不快な思いをすることも多い。
【０００３】
従来、ナメクジやカタツムリ等の病害虫を駆除するために、粒状、粉状或いは液状等の駆除剤を植木鉢やその受け皿に撒いていた。
【考案の開示】
【考案が解決しようとする課題】
【０００４】
しかしながら、前述した駆除剤は、適正な散布を行わないと十分な効果が得られないため、撒く時期や時間帯を工夫する必要があり、通常、雨上がりや夕刻に散布するのが好ましいとされているが、種々の予定がある日常生活において常にこのような適正時期、適正時間帯に駆除剤を所定量撒くことは非常に手間であり、また一度、駆除剤を撒いてもその後の降雨や散水により駆除剤が流れてしまうこともあり、そのため駆除剤による効果が長期間持続されないのが実情であった。更に、駆除剤が栽培している植物に多量に付着した場合には、該植物の生育に悪影響が出たり、枯れてしまう場合もあった。
【０００５】
また、近年のペットブームによって、庭で犬等を飼う人も増えているが、前述したように、植木鉢やその受け皿に粒状等の病虫害駆除剤を撒いておいた場合、犬等が誤って食べてしまうおそれもあった。
【０００６】
本考案の目的は、前述した種々の問題を解決することができる植木鉢およびその受け皿を提供することにある。
【課題を解決するための手段】
【０００７】
請求項１記載の本考案は、粘土を焼成した植木鉢において、少なくとも下部を構成する粘土に病害虫駆除忌避作用を有する薬剤が混入されていることを特徴とするものである。
【０００８】
病害虫駆除忌避作用を有する薬剤とは、ナメクジ、カタツムリ、ワラジムシ、ゲジゲジ、ヤスデ、ケムシ等の種々の害虫に対して駆除や忌避等の少なくともいずれかの作用を有するものであれば良く、特に限定されないが、以下のような薬剤が例示される。
【０００９】
すなわち、従来から銅には殺菌効果や虫の忌避効果があるとされているが、例えば炭化銅、酸化銅が挙げられ、更に他の金属化合物として、酸化ウラン、クロム酸鉄、クロム酸鉛、酸化亜鉛、鉛丹、黄色酸化鉛、灰硼石等も挙げられる。なお、以上述べた各薬剤は陶芸において釉薬として使用されているものであり、釉薬は、本来、粘土で形成した原形物の表面に塗布するものであるが、本発明では、粘土に混入させるのである。
【００１０】
また、前記釉薬以外の薬剤としては、メタアルデヒド、天然系置換フェノール、ＢＰＭＣ、ＭＥＰ、フタルスリン等が例示される。
【００１１】
請求項２記載の本考案は、前記請求項１記載の植木鉢について、粘土の焼成が素焼きであることを特徴とするものである。
【００１２】
請求項３記載の本考案は、前記請求項１または請求項２記載の植木鉢について、下部を構成する粘土が０．５〜５重量％の病害虫駆除忌避作用を有する薬剤を含有することを特徴とするものである。薬剤の含有量が０．５重量％未満の場合には十分な病害虫駆除・忌避効果が得難く、また薬剤が５重量％を超えても病害虫駆除・忌避効果の顕著な上昇が期待できないからである。
【００１３】
請求項４記載の本考案は、植木鉢を置く受け皿であって、病害虫駆除忌避作用を有する薬剤が混入された粘土を焼成してなるものである。
【００１４】
請求項５記載の本考案は、前記請求項４記載の植木鉢用受け皿について、その粘土の焼成が素焼きであることを特徴とするものである。
【００１５】
請求項６記載の本考案は、前記請求項４または請求項５記載の植木鉢用受け皿について、粘土が０．５〜５重量％の病害虫駆除忌避作用を有する薬剤を含有することを特徴とするものである。
【考案の効果】
【００１６】
本考案に係る植木鉢は、少なくとも下部を構成する粘土に病害虫駆除忌避作用を有する薬剤が混入されているものであるため、植木鉢自体に病害虫の駆除や忌避の作用があり、そのため従来のように、所定量の薬剤をいちいち撒く必要がなくなり、園芸愛好家の手間を大幅に削減することができる。また、雨が降ったり、散水を行った場合でも従来のように薬剤が流れてしまうこともなく、病害虫の駆除・忌避作用が長時間有効に持続され得る。更に、前述したように薬剤は植木鉢自体に混入され、該植木鉢で栽培される植物に直接触れることがないため、薬剤が植物の生育に悪影響を及ぼすおそれもない。また、犬等のペットが誤って薬剤を食べてしまうといった事故のおそれもない。
【００１７】
また本考案に係る受け皿によれば、植木鉢に病虫害駆除・忌避作用がなくても当該受け皿によってその作用が得られる。
【考案を実施するための最良の形態】
【００１８】
次に、本考案の実施形態を図面にしたがって説明するが、本考案はかかる実施形態に限定されるものではなく、その要旨の範囲内で種々の変形実施が可能である。
【００１９】
図１および図２に示すように、植木鉢(1)は、植物を生育させるための用土を入れる本体部(2)と、本体部(2)の外底面(2a)に一体に形成された脚部(3)とにより構成されており、また本体部(2)の内底面(2b)には断面半円形の目皿(4)が置かれている。
【００２０】
そして、本実施形態では、植木鉢(1)の本体部(2)における下半部(2c)と脚部(3)と目皿(4)が、それぞれ病虫害駆除忌避作用を有する薬剤として炭化銅を０．５〜５重量％混入した粘土で構成されている。一方、本体部(2)の上半部(2d)は前記炭化銅を含まない通常の粘土で構成されている。なお、前記いずれの粘土においても必要に応じて顔料等の一般に使われる他の材料が適宜混合される。
【００２１】
次に、本実施形態の植木鉢(1)の焼成について説明すると、図３に示すように、粘土で植木鉢(1)を形どったものを陶器製の焼成用容器(6)に入れ、該焼成用容器(6)の空間部分に耐火モルタル(9)を充填する。その後、陶器製の蓋(7)を焼成用容器(6)の上部開口に被せ、この焼成用容器(6)を窯に入れて、窯内の温度を５〜９時間かけて約５５０℃まで上昇させ、更に１時間ごとに５０℃ずつ上昇させて最終的に窯内を約８００℃にして焼成する。この場合、焼成前の植木鉢(1)および目皿(4)は蓋(7)がされた焼成用容器(6)に収容されているため、還元状態で素焼きされることとなる。また、本考案では、このような還元状態での素焼きでなく、通常の素焼きを行うこともある。通常の素焼きの場合、前記還元状態での素焼きよりも薬剤の遅効性がある。
【００２２】
本実施形態に係る植木鉢(1)によれば、その内部に栽培用土を入れて植物を植えた場合、植木鉢(1)の本体部(2)の下半部(2c)にナメクジ等の不快害虫が嫌う炭化銅が含有されているため、植木鉢(1)を庭に置いても、その下方からナメクジ等が上がってくることがない。
【００２３】
図４は本考案に係る受け皿(8)上に植木鉢(21)が載置された実施形態を示しており、具体的には受け皿(8)は前述した実施形態における植木鉢(1)等と同様、炭化銅入りの粘土を前記と同様の要領で焼成したものであり、植木鉢(21)は炭化銅が入っていない通常の粘土を焼成したものである。
【００２４】
本実施形態の受け皿(8)によれば、植木鉢(21)に病害虫の駆除・忌避作用がなくても、病害虫を駆除・忌避することができる。
【産業上の利用可能性】
【００２５】
本考案に係る植木鉢および受け皿によれば、簡単且つ確実に病害虫を駆除・忌避することができるため、園芸分野において幅広い利用が期待できる。
【図面の簡単な説明】
【００２６】
【図１】実施形態に係る植木鉢の正面図である。
【図２】同植木鉢の断面図である。
【図３】焼成前における植木鉢の焼成用容器への収容状態を示す図である。
【図４】実施形態に係る受け皿の使用状態を示す正面図である。
【符号の説明】
【００２７】
(1)  植木鉢
(2)  本体部
(3)  脚部
(4)  目皿
(8)  受け皿
【図１】
0003130749.tif 000003
【図２】
0003130749.tif 000004
【図３】
0003130749.tif 000005
【図４】
0003130749.tif 000006